(57)【要約】      （修正有）【課題】製造容易で比較的低廉にて提供でき、室内の結露発生個所に容易に定着することができて、その部分の結露を吸収でき、また、室内に気流を発生させることで、結露防止と共に、室内の過乾燥や温熱環境の維持効果をももたらすことが可能な、結露吸収体を提供する。【解決手段】不織布製で平坦な定着用支持材２と、前記支持材２上に固定されることにより、支持材２との間に一端から他端に抜ける筒状通気部４が多数連続形成されるように成形された不織布製の表面材３とから成る結露吸収体１である。表面材３は、鋸歯状、波状、パルス状等に湾折曲成形される。支持材２は湿気を帯びることによりガラス面に貼着可能であり、表面材３は、支持材２から浸透してくる水分を室内に自然蒸発させるよう作用する。【選択図】図３
2016069818.tif 000002
【特許請求の範囲】
【請求項１】
不織布製の表面材から成り、前記表面材は定着時に定着面との間に一端から他端に抜ける筒状通気部が並設されるように湾折曲成形されていることを特徴とする結露吸収体。
【請求項２】
前記表面材は、鋸歯状、波状又はパルス状に湾折曲成形されている、請求項１に記載の結露吸収体。
【請求項３】
前記湾折曲成形部は、平坦部を挟んで設けられる、請求項１又は２に記載の結露吸収体。
【請求項４】
前記表面材は、湿気を帯びることにより前記定着面に貼着可能である、請求項１乃至３のいずれかに記載の結露吸収体。
【請求項５】
前記表面材は、前記定着面から吸収した水分を室内に自然蒸発させるよう作用する、請求項１乃至４のいずれかに記載の結露吸収体。
【請求項６】
前記表面材は、不織布製で平坦な支持材に固定され、前記支持材を介して前記定着面に定着される、請求項１乃至５のいずれかに記載の結露吸収体。
【請求項７】
前記支持材は前記表面材よりも薄手である、請求項６に記載の結露吸収体。
【発明の詳細な説明】
【技術分野】
【０００１】
本発明は結露吸収体、より詳細には、結露発生時に、当該結露を利用して窓等に貼り付け、併せて断熱の補助並びに乾燥対策も兼ねることができる、結露吸収体に関するものである。
【背景技術】
【０００２】
気密のレベルが向上している現代の住宅においては、室内外の温度差が生ずる冬場、窓等には必ずと言っていいほど、結露が発生する。この結露は、放っておくと窓の桟や床に滴り落ち、内装材にカビを発生させる等により住宅の老朽化を進行させるおそれがある。そこで、冬の夜間、結露の発生を軽減させ、窓下部隅部などに溜る結露水を減らし、内装材にカビ等の汚れが付着することを防止するための手段を講ずることが要請される。
【０００３】
高断熱高気密住宅として計画換気及び全日全屋暖房とすれば、この手の問題は解消可能であるが、近年の資源コストの増大により、夜間の就寝時には暖房を止める、いわゆる間欠暖房の世帯が増えてきており、日本全体では、間欠暖房が主流の地域が多いということができる。この間欠暖房の場合は、夜間の温度低下により断熱気密の弱い部位の温度が低下し、結露が誘発されることになる。
【０００４】
このような状況に鑑み、特開２０００−７１３６３号公報（特許文献１）、特開２００５−７６１８９号公報（特許文献２）、並びに、実用新案登録第３０２９５５７号公報（特許文献３）では、種々の素材を積層した多層シートを窓等の結露発生面に貼着することによって、結露を吸収する方法が提唱されている。
【０００５】
しかし、これらの特許文献に記載の発明において提案されている多層シートは、種々の素材を積層して製造されるものであるため、材料コストと製造コストが嵩み、その分コスト高となるという問題がある。また、従来の多層シートは、専ら結露吸収に重きが置かれていて、室内の過乾燥や室内の温熱環境の保持等についての配慮はなされていない。
【先行技術文献】
【特許文献】
【０００６】
【特許文献１】特開２０００−７１３６３号公報
【特許文献２】特開２００５−７６１８９号公報
【特許文献３】実用新案登録第３０２９５５７号公報
【発明の概要】
【発明が解決しようとする課題】
【０００７】
上述したように、従来提案されている結露対策シートの場合は、製造に手間がかかってコスト高となり、一般に広く浸透するには至っておらず、また、断熱面や加湿面についての配慮がなされていない。そこで本発明は、シンプルな構成で製造容易で比較的低廉にて提供でき、室内の結露発生個所に容易に定着することができて、その部分の結露を吸収でき、また、室内に気流を発生させることで、結露防止と共に、室内の過乾燥や温熱環境の維持効果をももたらすことが可能な、結露吸収体を提供することを課題とする。
【課題を解決するための手段】
【０００８】
上記課題を解決するための請求項１に記載の発明は、不織布製の表面材から成り、前記表面材は定着時に定着面との間に一端から他端に抜ける筒状通気部が並設されるように湾折曲成形されていることを特徴とする結露吸収体である。
【０００９】
一実施形態においては、前記表面材は、鋸歯状、波状又はパルス状に湾折曲成形され、前記湾折曲成形部は、平坦部を挟んで設けられることがある。また、前記表面材は、湿気を帯びることにより前記定着面に貼着可能であり、前記表面材は、前記定着面から吸収した水分を室内に自然蒸発させるよう作用する。
【００１０】
また、一実施形態においては、前記表面材は、不織布製で平坦な支持材に固定され、前記支持材を介して前記定着面に定着される。通例、前記支持材は前記表面材よりも薄手のものとされる。
【発明の効果】
【００１１】
本発明に係る結露吸収体は上記構成であるので、製造容易で比較的低廉にて提供でき、室内の結露発生個所に何人も容易に定着することができ、単に定着するだけでその部分の結露を吸収し、且つ、吸収した水分を室内に自然蒸発することで室内の過乾燥を防止することができ、更に、筒状通気部の断熱効果によって室内の温熱環境を良好に維持することができ、筒状通気部を縦向きにして配置した場合には、ダウンドラフト、即ち、窓面で冷やされた空気が降下し、その冷たい空気が床面を流れる現象が発生することを防止し得る効果がある。
【図面の簡単な説明】
【００１２】
【図１】本発明に係る結露吸収体の一実施形態の斜視図である。
【図２】図１に示す実施形態の変形例を示す斜視図である。
【図３】本発明に係る結露吸収体の他の実施形態の斜視図である。
【図４】本発明に係る結露吸収体の作用を示す平面図である。
【図５】本発明に係る結露吸収体の使用状態を示す図である。
【発明を実施するための形態】
【００１３】
本発明を実施するための形態について、添付図面に依拠して説明する。図１は、本発明に係る結露吸収体１の一実施形態の斜視図であり、そこに示されるように、本発明に係る結露吸収体1は、窓ガラス、壁面等の定着面５に定着した際に、定着面５との間に一端から他端に抜ける筒状通気部４が並設されるように湾折曲成形された、不織布製の表面材３で構成される。結露吸収体１は、通例、図示した例のように筒状通気部４を縦向きにして使用されるが、筒状通気部４を横向きにして使用することとしてもよい。
【００１４】
表面材３は、定着面５との間に一端から他端に抜ける筒状通気部４を多数並設するために、鋸歯状、波状、パルス状等に湾折曲成形される。図示した例は、鋸歯状に成形したものである。表面材３は不織布製であるため、その湾折曲部の頂点部が湿気を帯びることにより定着面５に貼着可能となるが、定着面５との接触面積を増やすために、湾折曲成形部は、平坦部６を挟んで設けることもある（図２参照）。
【００１５】
図３に示す本発明の第２の態様においては、表面材３は平坦な支持材２上に接着等により固定され、縦方向に抜ける筒状通気部４は表面材３と支持材２との間に形成される。支持材２は、表面材３と同様に不織布製であり、通例、支持材２は、表面材３よりも薄手のものとされる。この場合の表面材３は、上記図１又は図２に示す形態のものである。この第２の態様の場合も、不織布製の支持材２が湿気を帯びることにより、定着面５に定着可能となる。
【００１６】
通例、結露吸収体１は、所定の縦寸のものを帯状に製造して数メートル単位で販売し、使用に際して需要者が、貼付する窓のサイズに合わせてカットするようにされるが、予め所定寸法にカットした態様で販売することとしても良い。
【００１７】
支持材２及び表面材３は不織布製であるため、湿気を帯びることにより定着面５に貼着可能となるので、既に結露が発生している箇所に設置する場合には、単に結露吸収体１を当該結露発生面に押し当てて吸水させることで、貼着可能となる。従って、需要者は、単に、結露吸収体１を定着面５のサイズに合わせてカットし、あるいは、定着面５のサイズに合った結露吸収体１を選択し、定着面５に押し当てるだけで取り付け完了となるので、何人も簡単に設置作業を行うことが可能である。
【００１８】
このようにして結露吸収体１が定着面５に設置されると、定着面５に発生した結露は、直ちに表面材３に浸透し、あるいは、支持材２を介して表面材３に浸透し、その後表面材３の表面及び支持材２の表面から室内に蒸発していく。これにより、冬期乾燥しがちな室内を適宜加湿して、過乾燥状態を回避することが可能となる。また、筒状通気部４が断熱空気層として機能し、室内の暖まった空気がガラス面を通して外気によって冷やされることを防ぐ断熱効果を発揮する。特に、筒状通気部４を縦向きにして使用する場合は、その断熱効果により、ダウンドラフト現象の発生が防止される。
【００１９】
本発明に係る結露吸収体は、上述したとおりの構成であって、ガラス面等の結露発生面に単に押し付けるだけで簡単に装備でき、それにより結露を吸水し、それを、支持材２及び表面材３から室内に自然蒸発させることができるので、結露の滴りに起因するカビの発生、内装材の損傷等を防止することができ、また、室内の過乾燥を防ぐと共に、筒状通気部４の断熱作用によって、室内の温熱環境を維持することができるといった諸効果を奏するものである。
【００２０】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００２１】
１    結露吸収体
２    支持材
３    表面材
４    筒状通気部
５    定着面
６    平坦部
【図１】
2016069818.tif 000003
【図２】
2016069818.tif 000004
【図３】
2016069818.tif 000005
【図４】
2016069818.tif 000006
【図５】
2016069818.tif 000007